(57)【特許請求の範囲】
【請求項１】
合成樹脂で筺体を形成し、この筺体内に熱交換器及び送風機を収納した室内機を備え、この室内機における前記筺体上部の後端部に、室内の壁に取付けられる据付板の引掛片を下方から挿入して引掛けるための上下方向の引掛部を形成し、この引掛部の前面となる上下方向の前面壁、この前面壁の上下両縁にそれぞれつながると共に互いに対向して設けられた水平方向の上部壁及び下部壁とで、熱交換器側である前方を開放した水平方向の余空間を形成して成る空気調和機において、
前記余空間の上面の上部壁にはこの余空間を外部に連通させる開口を設け、この開口から前記余空間に流入する室内空気の温度を検知する温度検知器を前記余空間に配置したことを特徴とする空気調和機。
【請求項２】
前記余空間には前記温度検知器を所定間隔を保って保持する取付具を備えたことを特徴とする請求項１に記載の空気調和機。
【請求項３】
前記取付具は、前記温度検知器が前方から余空間に挿入されるように前記筺体に着脱自在に取付けられていることを特徴とする請求項２に記載の空気調和機。
【発明の詳細な説明】
【０００１】
【発明の属する技術分野】
この発明は、その室内機が室内壁の上部に据付けられる空気調和機に関する。
【０００２】
【従来の技術】
熱交換器に吸込まれる前の室内空気の温度を温度検知器で検出しているものは、実公平２-３０７２号公報に記載のものがある。これらの公報に記載の空気調和機では、熱交換器の一次側にその温度検知器の取付具で取付けているものであった。
【０００３】
【発明が解決しようとする課題】
前述したような空気調和装置では、一般的に、温度検知器で室内温度を検出し、この室内温度を空気調和機の能力制御に利用している。しかし、熱交換器の前面側（一次側）には、一般的に空気清浄フィルタや、エアフィルタが配置されていて、大きな空間を確保できにくいものであった。また、室内機を小型化する場合には、この温度検知器を配置する空間を熱交換器の前面側に設けると室内機を小型化できなくなっていた。
【０００４】
この発明は、室内機における筺体上部の水平方向の余空間を有効利用して温度検知器を配置することにより室内機を小型化できる空気調和機を提供するものである。
【０００５】
【課題を解決するための手段】
前記課題を解決するために、請求項１に記載の発明は、合成樹脂で筺体を形成し、この筺体内に熱交換器及び送風機を収納した室内機を備え、この室内機における前記筺体上部の後端部に、室内の壁に取付けられる据付板の引掛片を下方から挿入して引掛けるための上下方向の引掛部を形成し、この引掛部の前面となる上下方向の前面壁、この前面壁の上下両縁にそれぞれつながると共に互いに対向して設けられた水平方向の上部壁及び下部壁とで、熱交換器側である前方を開放した水平方向の余空間を形成して成る空気調和機において、前記余空間の上面の上部壁にはこの余空間を外部に連通させる開口を設け、この開口から前記余空間に流入する室内空気の温度を検知する温度検知器を前記余空間に配置したことを特徴とする。
【０００６】
請求項２に記載の発明は、請求項１に記載の空気調和機において、前記余空間には前記温度検知器を所定間隔を保って保持する取付具を備えたことを特徴とする。
【０００７】
請求項３に記載の発明は、請求項２に記載の空気調和機において、前記取付具は、前記温度検知器が前方から余空間に挿入されるように前記筺体に着脱自在に取付けられていることを特徴とする。
【０００８】
【発明の実施の形態】
本発明の空気調和機の実施例を図面に基き説明する。図１に示す１は空気調和機の室内機で、図示しない室外機とユニット間配管で接続されるものである。
【０００９】
この室内機１の外装体（筺体）は、前面側の外装体２Ａと、この外装体に着脱自在に取付けられる吸込グリル２Ｂと、背面側の外装体２Ｃとで構成されている。３は据付板で、この据付板は室内壁の上部に取付けられ、この据付板に前記室内機１が引掛けられて据付けられるものである。４は熱交換器で、冷房運転やドライ運転時に冷却器として機能し、暖房運転時には加熱器として機能するものである。５は空気清浄フィルタの保持部、６はドレンパン、７はクロスフローファン（送風機）、８は縦羽根とも呼ばれている風向変更羽根、９は横羽根とも呼ばれている風向変更羽根、１０は収納空間で、梱包時や左配管時に熱交換器４から延びた補助冷配管が収納される。１１はこの収納空間１０の外装体２Ｃに取付けられる断熱材である。
【００１０】
尚、空気清浄フィルタや、このフィルタと吸込グリルとの間に配置されるエアフィルタは図示しない。
【００１１】
１２は補助配管押えで、収納空間１０の中間部分で補助冷媒管１３を押えるものである。また、この補助冷媒管１３と室内機１の左側からのユニット間配管とをつなぐ場合には、据付板３の引掛片３Ａに室内機１を引掛けている状態で、この補助配管押え１２を回動させて据付板３に突っ張らせることによって、室内機１を据付板３から浮かせることができ、室内機１と据付板３との間を作業空間として利用することができるようになっている。
【００１２】
図２に示す１４は配管押えで、熱交換器４から延びた補助冷媒管１３を収納空間１０外で押えるものである。１５はこの配管押えの右下部に形成された押え部で、この押え部で図２に示すように室内機背面側から見て断熱材１１の左側上部１１Ａを押えるようにしている。１６は取付け用の開口で、この開口に背面側の外装体２Ａに設けた爪１７が嵌り込むように配管押え１４を外装体に取付けることによって、配管押え１４が外装体２Ｃに取付けられる。
【００１３】
また、１８は配管押え１４に形成されているネジ孔で、このネジ孔にネジを挿入しボス１９にネジ止めすることができるようになっている。このため、前記爪１７が欠けるようなことがあっても、ネジ止めにより配管押え１４を外装体２Ｃに取付けることもできるようになっている。
【００１４】
図３は外装体を構成する背面側の外装体２Ｃ単体の正面を示し、図５に示すようにその右側には電装部品を収納した電装箱２５が取付けられ、残りの部分には熱交換器４が取付けられる。
【００１５】
図４に外装体２Ｃの上部が成形される様子を示し、この外装体は射出成形（インジェクション成形）と呼ばれる成形方法で成形される。外装体（筺体）２Ｃの上部は、その上方に移動する金型５０と、その前方に移動する金型５１と、その背面側に移動する金型５２の間に溶けた合成樹脂が充填され、その後、金型５０が上方に移動し、金型５１が前方に移動し、金型５２が背面側に移動することによって、外装体の上部が成形される。外装体２Ｃの下部の成形は説明を省略する。
【００１６】
２Ｆは引掛部で、金型５０が上方に移動することによって成形される。２Ｇは余空間で、金型５１が前方に移動することによって成形される。この余空間は上部壁２Ｈ、引掛部２Ｆの前面にあたる前面壁２Ｉ、下部壁２Ｊで囲まれている。２Ｋは上部壁２Ｈに形成された開口で、室内機のクロスフローファンの運転時にこの開口２Ｋから室内空気が吸込まれ熱交換器４へと流れる。そして、前記余空間２Ｇは、図１に示すように、背面側の外装体２Ｃの上部に、熱交換器４側である前方を開放した状態で水平方向に形成されている。
【００１７】
図５に示す２１は温度検知器の取付具で、外装体２Ｃに取付けられるものである。２２は温度検知器で、感温素子２３とリード線２４とから構成されている。このリード線２４は感温素子２３と電装箱２５内の電装部品（図示せず）とを接続するものである。そして、取付具２１に温度検知器２２を取付けて、この取付具を外装体２Ｃに取付けると、感温素子２３が、余空間２Ｇのほぼ中央部分に位置することになる。
【００１８】
図６、図７、図８に示す２１Ａはリード線の支持部で、感温素子２３近辺のリード線２４を挟んで支持するものである。２１Ｂはリード線保持用の溝で、リード線２４が収納される。２１Ｃは外装体の開口に嵌る引掛片で、比較的弱い力で抜けるように寸法や弾性力が設定されている。２１Ｄは感温素子を下部壁から所定の間隔を保つ保持部、２１Ｅは段部で、この段部が外装体と接していないので、リード線が引っ張れたときに、図９に示す部分２Ｐを中心として取付具２１が容易に回転して外れ易くするようになっている。２１Ｆは半球状の位置決部である。
【００１９】
図９に示す２Ｍは外装体２Ｃの開口で、引掛片２１Ｃが比較的緩く引掛っている。この図に示すように、開口２Ｍは多少余裕をもって空けられており、リード線が引っ張られると図面右側に示す引掛片２１Ｃが容易に外れるように、片２１Ｃの角度が垂直線に対して４５度の角度に設定されている（図７参照、図面左側に示す引掛片も同じ角度に設定されている）。２Ｎは位置決部が嵌る開口部で、この開口部に位置決部２Ｆが嵌ることにより、図９に示す左右の引掛片２１Ｃがその引っ掛かりが等しくなるように（一方の引っ掛かりのみがきつく引っ掛かることがないように）位置決めされる。
【００２０】
このように構成された分離型空気調和機の外装体において、金型を使用して余空間２Ｇを形成する理由は、外装体の厚さをほぼ一定にするためである。この厚さをほぼ一定にする理由は主に２つあり、その１つは、前記厚さを、この部分だけ厚くすると合成樹脂の収縮がこの部分だけ大きくなって、ひけが発生したり、変形したりするため、これらを防止するためである。２つ目は、この部分だけ厚さを厚くすると、外装体全体の冷却時間が長くなるため、これを防止するためである。
【００２１】
本願発明の分離型空気調和機では、前述した射出成形で製造された外装体を使用している。そして、この室内機はその外装体を製造するための射出成形により生ずる余空間に温度検知器を配置しているので、従来使用していなかった余空間を有効利用して外装体、延いては空気調和機を小型化することができる。図１に示すように、空気清浄フィルタの取付枠と熱交換器との間の空間がほとんどなく、この空間の部分を従来のものより小さくして室内機を小型化している。
【００２２】
また、このように構成された空気調和機では、リード線２４が支持部２１Ａに挟まれるように取付けられ、更にリード線２４が溝２１Ｂに嵌め込まれるように配置された後、取付具２１が外装体２Ｃに取付けられる。取付具２１が取付けられると、感温素子２３が余空間２Ｇに位置することとなる。また、保持部２Ｄにより、下部壁２Ｊと間隔を空けて配置される。感温素子２３がこのように下部壁２Ｊと間隔を空けて配置されると、空気調和機の運転時に開口２Ｋから吸込まれた室内空気が、感温素子２３の上側と下側とに分かれ、これら空気が感温素子２３を囲むように流れるので（図１０参照）、例えば感温素子の上面側にしか空気が流れないように構成されたものより検知精度を向上させることができる。この感温素子の上面側にしか空気が流れないように構成されているもの、例えば実公昭６１-４４０１６号公報に記載されたもの、熱交換器の輻射熱を受けないように遮蔽板を備えた取付具で熱交換器に取付けられているものである。そして、このような遮蔽板を備えていると、その遮蔽板で空気の流れが遮られるので、遮蔽板側の感温素子には充分に空気が触れないこととなり、温度検知器の検知精度が悪い原因となっていた。しかし、この取付具を用いると感温素子の周りに充分空気が流れるので、温度検知器の精度を従来のものより良くすることができる。
【００２３】
また、メンテナンスなどにより、電装箱を取外す必要があると判断された場合、電装箱２５を外装体から取外すのであるが、このとき室内機１は室内壁の上部に据付けられているので背を伸ばした無理な姿勢か、あるいは脚立などの台に乗ってメンテナンスを行う場合が非常に多い。そして、図１に示すように温度検知器は室内機１の奥側に配置されており、無理な姿勢でなくても取付けや取外しを行いにくくなっている。しかし、この発明の分離型空気調和機では、電装箱を外装体から取外し、電装箱を手前に引っ張ると、リード線２４が取付具２１に取付けられていてもこの取付具２１が部分２Ｐを中心にして回動するため、取付具２１と共に温度検知器２２が外れやすくなっており、取付具２１を手で取外すことなく取付具が外れる。このため、室内機１の奥側に配置されていて取外しにくい温度検知器を手を突っ込んで取外すことなく電装箱を外してメンテナンスを行えるので、電装箱のメンテナンス作業を容易に行うことができる。通常、温度検知器などの取付けは、少々の力でそのリード線を引っ張った程度ではその温度検知器は勿論、温度検知の取付けられた取付具もその外装体から外れないように強固に取付けられている。このような場合、メンテナンスを行う工事作業者は、取付具を外す必要があるが、この取付具を取外す作業がその取付具が室内機の奥側に設けられているので大変行いにくい。また、温度検知器が取付具に取付けられていることを知らずに、電装箱を強く引っ張った場合は、リード線が痛んだり、断線したりすることもある。しかし、この発明の分離型空気調和機では、電装箱を引っ張ると、取付具が容易に外れ易く、リード線を損傷する恐れもない。
【００２４】
【発明の効果】
請求項１に記載の発明は、合成樹脂で筺体を形成し、この筺体内に熱交換器及び送風機を収納した室内機を備え、この室内機における前記筺体上部の後端部に、室内の壁に取付けられる据付板の引掛片を下方から挿入して引掛けるための上下方向の引掛部を形成し、この引掛部の前面となる上下方向の前面壁、この前面壁の上下両縁にそれぞれつながると共に互いに対向して設けられた水平方向の上部壁及び下部壁とで、熱交換器側である前方を開放した水平方向の余空間を形成して成る空気調和機において、前記余空間の上面の上部壁にはこの余空間を外部に連通させる開口を設け、この開口から前記余空間に流入する室内空気の温度を検知する温度検知器を前記余空間に配置した構成であるから、温度検知器を配置する空間を特別に設ける必要はなく、筺体を小型化でき、延いては空気調和機を小型化することができる。
【００２５】
また、請求項２に記載の発明のように、特に余空間を形成する壁と所定間隔を保つ保持部を取付具に備えたものでは、温度検知器の感温素子の周りに検知対象の室内空気を流れやすくすることができるので、温度検知器の検知精度を向上させることができる。
【００２６】
更に、請求項３に記載の発明のように、筺体の前方から着脱自在に取付具で温度検知器を取付けたものでは、電装部品のメンテナンス時において、電装箱を筺体の前方に引っ張ると取付具が筺体から外れやすいので、温度検知器も容易に外れやすく、電装箱を取外す作業などのメンテナンスを容易に行うことができる。
【図面の簡単な説明】
【図１】  この発明の空気調和機の室内機を示す断面図である。
【図２】  同空気調和機の室内機の背面図である。
【図３】  同空気調和機の室内機の外装体を示す正面図である。
【図４】  空気調和機の外装体の作成を示す説明図である。
【図５】  室内機への温度検知器の取付けを示す説明図である。
【図６】  温度検知器の取付具を示す正面図である。
【図７】  同温度検知器の取付具の平面図である。
【図８】  同温度検知器の取付具の支持部を示す側面図である。
【図９】  取付具を取付けた状態を示す説明図である。
【図１０】  感温素子の周りの空気が流れる様子を示す説明図である。
【符号の説明】
１          室内機
２          外装体（筺体）
２Ｃ        背面側の外装体（筺体）
Ｆ        引掛部
２Ｈ        上部壁
２Ｉ        前面壁
２Ｊ        下部壁
３          据付板
３Ａ        引掛片
４          熱交換器
７          クロスフローファン（送風機）
２１        取付具
２２        温度検知器
２３        感温素子
２４        リード線
２５        電装箱
【図１】
0003717613.tif 000002
【図２】
0003717613.tif 000003
【図３】
0003717613.tif 000004
【図４】
0003717613.tif 000005
【図５】
0003717613.tif 000006
【図６】
0003717613.tif 000007
【図７】
0003717613.tif 000008
【図８】
0003717613.tif 000009
【図９】
0003717613.tif 000010
【図１０】
0003717613.tif 000011